(57)【要約】【課題】害虫捕獲機能を有し、かつ長期間消臭効果が持続できる消臭装置を提供する。【解決手段】空気取り入れ口４に光源１２を囲むように設置され、かつ光源より照射される紫外線により活性化されて、空気取り入れ口より取り込まれた空気中の有機有害物質を分解して消臭する光触媒層１３ｇを有する消臭体１３ａが上下方向に間隔を存して複数段設けられた消臭手段１３と、消臭及び浄化する空気や、光源に誘引された害虫を空気とともに吸引する電動ファンよりなる吸引手段５と、吸引手段より排出された空気中より花粉及び粉塵等のアレルギー原因物質や、害虫を捕獲する通気性を有する捕虫袋１５からなり、害虫発生時期には害虫捕獲機能と消臭機能を同時に使用し、害虫が発生することが少ない時期には、消臭機能を単独で使用することにより、年間を通して使用することができる上、消臭装置と害虫捕獲器の両方を揃える必要がないため経済的である。【選択図】図２
2010022754.tif 000002
【特許請求の範囲】
【請求項１】
害虫を誘引し、また光触媒を活性化する紫外線を含む光を発生する光源が下面に取り付けられた上部ケースと、前記上部ケースの下方に設けられた下部ケースと、前記上下部ケースの間に開口された空気取り入れ口と、前記空気取り入れ口に前記光源を囲むように設置され、かつ前記光源より照射される紫外線により活性化されて、前記空気取り入れ口より取り込まれた空気中の有機有害物質を分解して消臭する光触媒層を有する消臭体が上下方向に間隔を存して複数段設けられた消臭手段と、前記下部ケース内に設置され、かつ消臭及び浄化する空気や、前記光源に誘引された害虫を空気とともに吸引する電動ファンよりなる吸引手段と、前記吸引手段の下方に接続された筒状ケースの下部に着脱自在に取り付けられ、かつ前記吸引手段より排出された空気中より花粉及び粉塵等のアレルギー原因物質や、害虫を捕獲する通気性を有する捕虫袋とを具備したことを特徴とする消臭装置。
【請求項２】
前記消臭体を、中央に円孔が開口され、かつ外周縁側から円孔側へ順次低くなるよう傾斜するテーパ面を有する環状基板と、前記環状基板の少なくとも表面にコーティングされた光触媒層とから形成し、かつ前記円孔のほぼ中心に前記光源を設置してなる請求項１に記載の消臭装置。
【請求項３】
前記光触媒層を、アパタイト二酸化チタンコーティング剤をコーティングすることにより形成してなる請求項１または２に記載の消臭装置。
【請求項４】
前記環状基板に光触媒層を形成する際、前記環状基板に下地としてアクリル酸をコーティングして保護層を形成し、前記保護層の上に前記アパタイト二酸化チタンコーティング剤をコーティングしてなる請求項２または３に記載の消臭装置。
【発明の詳細な説明】
【技術分野】
【０００１】
本発明は、害虫捕獲機能を有する消臭装置に関する。
【背景技術】
【０００２】
日常生活で発生する悪臭の原因には種々のものがあり、近年のように消費者が臭いに敏感になると、微弱な臭いに対しても嫌悪感を抱くことが多い。
このため従来から種々の消臭剤が開発及び実用化されており、日常生活に欠かせないものとなっている。
また従来の消臭剤には、活性炭等により臭いを吸着して消臭する吸着剤や、臭いを化学的に分解して消臭する化学消臭剤、各種香料によるマスキング作用により臭いを消臭する芳香剤等があり、手軽に使用できることから、一般家庭での普及率も高い。
しかしこれらの消臭剤や芳香剤は、消臭効果が長期間持続しないため、吸着剤や芳香剤を定期的に交換したり、化学消臭剤を繰り返し噴霧する必要があり、手間や経費がかかる等の問題がある。
【０００３】
このため近年では、光触媒を利用して消臭や防汚、防カビ等の効果が得られる商品の開発が行われている（例えば特許文献１）。
光触媒は、太陽光や蛍光灯の光に含まれる紫外線をエネルギにして、臭いや汚れの原因である有機有害物質を分解することにより、消臭や防汚、防カビ等の効果が得られるようにしたもので、消臭効果が長期間持続することから、簡単に交換することができない建材や内装材、衛生設備等に採用されている。
例えば気密性の高い屋内の壁紙に光触媒を使用した場合、蛍光灯等の照明から発せられる紫外線により光触媒が活性化されて、屋内で発生するタバコ臭（アセドアルデヒド）や、新建材等から放出され、シックハウス症候群の原因とされる有害物質（ホルムアルデヒド）等を分解して消臭したり、トイレや介護施設に設置されている衛生器具に使用することによりアンモニア臭を消臭し、同時に抗菌、抗カビ効果を得る等、その利用方法は無限にあると考えられている。
【０００４】
一方本出願人は、先に実用新案登録第３１３９５４２号で、「害虫捕獲器」を提案している。
この害虫捕獲器は、光源に誘引された害虫を空気とともにする電動ファンにより吸引し、吸引手段の下方に着脱自在に設けられた通気性を有する捕虫袋内に害虫を捕獲するようにしたもので、捕集袋内を通過した空気中に害虫に寄生したダニや雑菌が含まれていたり、蛾等の害虫から剥がれ落ちた鱗粉等が混入していても、捕虫袋内を通過した空気が筐体外へ排出されることがないため、主に食品を取り扱う施設に採用することができる上、アレルギー等の持病がある利用者であっても安心して使用することができるという特有の作用効果を有している。
【特許文献１】特開２００８−７９９０７号公報
【発明の開示】
【発明が解決しようとする課題】
【０００５】
前記特許文献１に記載された消臭装置は、光触媒を含有する消臭体と、消臭体に光を照射する光源が、蛍光染料が混練された樹脂からなる筐体内に収容された構成で、光触媒反応により高効率で消臭処理を行うことができる効果を有している。
しかし前記特許文献１に記載された消臭装置は、消臭に特化されていて害虫を捕獲する機能がないため、害虫を捕獲する場合は害虫捕獲器を別に設置する必要があり、経費が嵩む等の問題がる。
【０００６】
一方実用新案登録第３１３９５４２号の害虫捕獲器は、害虫を効率よく捕獲することができる効果がある反面、害虫が発生することが少ない冬季等には稼動することが少ないため、使用期間が限定される問題がある。
また害虫を捕獲できる効果はあっても消臭機能がないため、悪臭を消臭したい場合は別に消臭装置を設置する必要があり、前記特許文献１と同様に経費が嵩む問題がる。
本発明はかかる問題を改善するためになされたもので、害虫捕獲機能を有し、かつ長期間消臭効果が持続できる消臭装置を提供することを目的とするものである。
【課題を解決するための手段】
【０００７】
本発明の消臭装置は、害虫を誘引し、また光触媒を活性化する紫外線を含む光を発生する光源が下面に取り付けられた上部ケースと、上部ケースの下方に設けられた下部ケースと、上下部ケースの間に開口された空気取り入れ口と、空気取り入れ口に光源を囲むように設置され、かつ光源より照射される紫外線により活性化されて、空気取り入れ口より取り込まれた空気中の有機有害物質を分解して消臭する光触媒層を有する消臭体が上下方向に間隔を存して複数段設けられた消臭手段と、下部ケース内に設置され、かつ消臭及び浄化する空気や、光源に誘引された害虫を空気とともに吸引する電動ファンよりなる吸引手段と、吸引手段の下方に接続された筒状ケースの下部に着脱自在に取り付けられ、かつ吸引手段より排出された空気中より花粉及び粉塵等のアレルギー原因物質や、害虫を捕獲する通気性を有する捕虫袋から構成したものである。
【０００８】
前記構成により、消臭体の近傍に設けられた光源より発生される紫外線が光触媒層に照射さることにより光触媒層が活性化され、空気取り入れ口より取り込まれた空気中の臭いの原因となる有機有害物質が活性化された光触媒層により二酸化炭素と水に分解されて空気中に放出するため、空気中の悪臭を効率よく消臭することができると共に、不織布等により形成された捕虫網のフィルタ効果により、空気中の花粉や粉塵等のアレルギー物質を除去することができるため、常時運転状態にしておくことにより、空気清浄効果も得られるようになる。
また害虫捕獲器として使用した場合、吸引手段により空気とともに吸引された害虫が、筒状ケース内を通って捕虫袋内へと排出されて捕獲されるため、光源に誘引された害虫を効率よく捕獲することができると共に、単一の光源により光触媒層の活性化と害虫の誘引効果が得られるため、消臭用の光源と害虫誘引用の光源を別に設ける必要がなく、これによって装置全体を小型化できる上、部品点数の削減により装置のコスト低減が図れる。
さらに消臭機能と害虫捕獲機能を有していて、これらを単独もしくは同時に使用することができるため、害虫発生時期には害虫捕獲機能と消臭機能を同時に使用し、害虫が発生することが少ない時期には、消臭機能を単独で使用することにより、年間を通して使用することができる上、消臭装置と害虫捕獲器の両方を揃える必要がないため経済的である。
【０００９】
本発明の消臭装置は、消臭体を、中央に円孔が開口され、かつ外周縁側から円孔側へ順次低くなるよう傾斜するテーパ面を有する環状基板と、環状基板の少なくとも表面にコーティングされた光触媒層とから形成し、かつ円孔のほぼ中心に光源を設置したものである。
【００１０】
前記構成により、消臭体の至近距離に設けられ光源より紫外線が照射されて光触媒層が常時活性化されるため、タバコ臭の原因となるアセドアルデヒドやペット等の動物臭、生ゴミ等から放出されるアンモニア臭等の消臭効果、抗ウィルス、防カビ等の抗菌作用により細菌の繁殖防止効果が長期間得られるようになる。
【００１１】
本発明の消臭装置は、光触媒層を、アパタイト二酸化チタンコーティング剤をコーティングすることにより形成したものである。
【００１２】
前記構成により、光触媒層が有機有害物質を分解するのに一定の時間を必要としても、アパタイトが有機有害物質を捕捉して逃がさないため、光触媒層により有機有害物質を確実に分解することができると共に、光触媒層が有機有害物質を分解すると、アパタイトが再び有機有害物質を吸着する体制をとなって吸着と分解を繰り返すため、消臭効果を長期間持続することができる。
【００１３】
本発明の消臭装置は、環状基板に光触媒層を形成する際、環状基板に下地としてアクリル酸をコーティングして保護層を形成し、保護層の上にアパタイト二酸化チタンコーティング剤をコーティングしたものである。
【００１４】
前記構成により、環状基板にコーティングされた保護層は、光触媒層を透過した紫外線を乱反射して、再び紫外線を光触媒側へ戻すことにより光触媒層がさらに活性化されるため、より高い消臭効果が得られるようになる。
【発明の効果】
【００１５】
本発明の消臭装置によれば、消臭体の近傍に設けられた光源より発生される紫外線が光触媒層に照射さることにより光触媒層が活性化され、空気取り入れ口より取り込まれた空気中の臭いの原因となる有機有害物質が活性化された光触媒層により二酸化炭素と水に分解されて空気中に放出するため、空気中の悪臭を効率よく消臭することができると共に、不織布等により形成された捕虫網のフィルタ効果により、空気中の花粉や粉塵等のアレルギー物質を除去することができるため、常時運転状態にしておくことにより、空気清浄効果も得られるようになる。
また消臭機能と害虫捕獲機能を単独もしくは同時に使用することができるため、害虫発生時期には害虫捕獲機能と消臭機能を同時に使用し、害虫が発生することが少ない時期には、消臭機能を単独で使用することにより、年間を通して使用することができる上、消臭装置と害虫捕獲器の両方を揃える必要がないため経済的である。
【発明を実施するための最良の形態】
【００１６】
本発明の実施の形態を、図面を参照して詳述する。
図１は消臭装置の正面図、図２は図１のＡ−Ａ線に沿う断面図、図３は吸引手段付近の一部切欠斜視図、図４は消臭手段の拡大断面図、図５ないし図７は作用説明図である。
図１に示す消臭装置の本体（以下装置本体という）１は、上部ケース２及び下部ケース３と、上部ケース２と下部ケース３の間に設けられた空気取り入れ口４と、下部ケース３内に設けられた吸引手段５及びシャッタ手段６とからなり、装置本体１全体が上下方向に長いコンパクトな筒状となっている。
上部ケース２は、上ケース２ａと下ケース２ｂとからなり、下ケース２ｂに上ケース２ａを上方から嵌合した状態で、ビス等の固着具２ｆにより上ケース２ａと下ケース２ｂの間が固定されており、上ケース２ａの中心部には、装置本体１を吊り下げるための環状の吊り具９が設けられている。
【００１７】
上ケース２ａの中心よりやや外れた位置には、コード引き込み口２ｃが形成されていて、このコード引き込み口２ｃより電源コード１０の一端側が引き込まれており、電源コード１０の途中には電源スイッチが、そして他端側には、商用電源へ接続されるためのプラグ（何れも図示せず）が設けられている。
コード引き込み口２ｃより上部ケース２内に引き込まれた電源コード１０の一端側は、上部ケース２内で２路に分岐され、一方１０ａは上部ケース２の下面に設置された光源１２に、他方１０ｂは、空気取り入れ口４に設けられた後述するガイド手段１３の中空な支柱１３ｂ内を通って下部ケース３内に配線され、下部ケース３内に設けられた吸引手段５の電動モータ５ｂに接続されている。
【００１８】
下ケース２ｂの底板２ｄ下面には、ほぼ中心部にソケット１２ａが固着されていて、このソケット１２ａに電球型の光源１２が着脱自在に取り付けられている。
光源１２は、光触媒を活性化させ、かつ害虫が好む波長、例えば３００〜４００ｎｍに光波長成分のピークを持つ紫外線を放射する蛍光灯よりなり、光源１２が切れたり、寿命で照度が低下した場合に、上部ケース２を取り外すことにより新しい光源１２と簡単に交換できるようになっている。
下部ケース３は、上部ケース２の外径とほぼ等しい外径の筒状体からなり、上端よりやや下方の内部に、円環状の支持板３ａが設けられている。
上部ケース２と下部ケース３の間に設けられた空気取り入れ口４は、光源１２に誘引された害虫が装置本体１内へ侵入するためのもので、空気取り入れ口４には、外気の流入を円滑にするガイド機能と、光源１２に手などが直接触れるのを防止するガード機能とを備えると同時に、本発明の主要部である悪臭を消臭する消臭機能を有する消臭手段１３が設けられている。
【００１９】
消臭手段１３は、図２に示すように例えば金属パイプや樹脂パイプよりなる複数の支柱１３ｂと、これら支柱１３ｂに嵌挿された複数枚の消臭体１３ａとからなる。
各支柱１３ｂの上端部は、下ケース２ｂの底板２ｄを貫通した状態でナット１３ｃにより底板２ｄに固着され、各支柱１３ｂの下端は、下部ケース３の支柱板３ａに螺着されている。
各支柱１３ｂは装置本体１の円周方向にほぼ等間隔に配置されていて、消臭体１３ａに穿設された複数の取り付け孔１３ｄがこれら支柱１３ｂに嵌挿されている。
各消臭体１３ａは、図２に示すように中央に円孔１３ｅが開口され、かつ外周縁側から円孔１３ｅ側へ順次低くなるよう傾斜するテーパ面を有する環状基板１３ｆと、環状基板１３ｆの表面にコーティングされた光触媒層１３ｇとからなる。
環状基板１３ｆは、例えばＡＢＳ樹脂により一体成形されていて、各支柱１３ｂにほぼ等間隔に嵌着されており、各環状基板１３ｆの間隔は、子供の指が入らない程度で、かつ蛾等の比較的大型の害虫が侵入できる程度に設定されている。
【００２０】
光触媒層１３ｇは、光源１２から照射される紫外線の波長の３５０ｎｍ付近で活性化され、最も効率よく有機有害物質を分解する能力を有する二酸化チタンが使用されている。
これに対し害虫は、３００〜４００ｎｍに光波長成分のピークを持つ光に誘引される性質を有している。
すなわち、３００〜４００ｎｍに光波長成分のピークを持つ光を発生する蛍光灯を光源１２に使用することにより、環状基板１３ｆの表面に形成された光触媒層１３ｇを活性化させて、有機有害物質を効率よく分解することができると同時に、害虫を空気取り入れ口４より上部ケース２内へ誘引することができ、単一の光源１２で消臭用の光源と害虫誘引用の光源に兼用することができるようになる。
【００２１】
また消臭体１３ａを形成する光触媒層１３ｇには、表面にアパタイトを生成させた二酸化チタンを使用している。
二酸化チタンは、紫外線が照射されると、光触媒作用により有機有害物質を分解して無害化する能力を有していることが知られている。
しかし細菌を積極的に吸着する能力がないため、表面に接触した菌にしか殺菌、分解することができない。
【００２２】
一方アパタイトは、たんぱく質の吸着能力あるため、細菌等を吸着する能力はあるが、一旦吸着したたんぱく質系の物質を分解することができないため、いつまでも物質が付着したままの状態となり、経時的に殺菌効果が低下する。
そこで両者の利点を活用し、また欠点を排除するため、両者を複合化したアパタイト二酸化チタンを光触媒として使用している。
本発明の実施の形態では、独立行政法人「産業技術総合研究所」が開発（特許第３２７５０３２号）し、株式会社ニュートラルが商品化した「アパタイト二酸化チタンコーティング剤（商品名：ｎｕ−ＣＯＡＴ  ＡＰ）」を使用している。
【００２３】
このアパタイト二酸化チタンコーティング剤は、１コーティングで光触媒層１３ｇを形成できる特徴を有しているが、コーティングする環状基板１３ｆが例えばＡＢＳ樹脂等の場合、環状基板１３ｆの表面が荒らされることがあるため、下地として環状基板１３ｆの表面にアクリル酸をガン吹きによりコーティングして保護層（図示せず）を予め形成し、その上にアパタイト二酸化チタンコーティング剤をガン吹きによりコーティングして、薄膜状の光触媒層１３ｇを形成した２層構造となっている。
【００２４】
下部ケース３内に設置された吸引手段５は、ケーシング５ａ内に電動モータ５ｂにより回転されるファン５ｃが設けられていて、ケーシング５ａの上面が下部ケース３の支持板３ａ下面に固着されており、光源１２に誘引されて空気取り入れ口４より侵入した害虫を、電動モータ５ｂにより回転されるファン５ｃにより、吸引手段５の下側に設けられたシャッタ手段６の筒状ケース６ａ内へ吸引するようになっている。
シャッタ手段６は筒状ケース６ａと、筒状ケース６ａ内に設けられたシャッタ板６ｂとからなり、筒状ケース６ａの上端部が吸引手段５のケーシング５ａ下面に接続されている。
【００２５】
シャッタ手段６のシャッタ板６ｂは、図３に示すように筒状ケース６ａの内径よりやや小径な円板よりなり、全体がプラスチックのような軽量な材料により薄板状により形成されており、中心より偏心した位置が回転軸６ｃに固着されている。
回転軸６ｃは、水平となるよう両端が筒状ケース６ａに支承されていて、回転軸６ｃを中心にシャッタ板６ｂが回動自在となっており、回転軸６ｃの両端側には、シャッタ板６ｂの外周縁が筒状ケース６ａの内周面に接触しないように両者の間に微小な隙間を形成する球状のスペーサ６ｄが嵌装されている。
【００２６】
またシャッタ板６ｂには、偏心側にバランサ６ｅが設けられている。
バランサ６ｅは、回転軸６ｃにより偏心位置が支持されたシャッタ板６ｂを水平位置に復帰させるもので、吸引手段５が停止されて筒状ケース６ａ内が無風となったときにシャッタ板６ｂが自動的に水平位置に復帰できるようになっており、筒状ケース６ａの内周面には、シャッタ板６ｂに当接したシャッタ板６ｂを水平位置に停止させるストッパ６ｆが突設されている。
シャッタ手段６の筒状ケース６ａには、下部外周に係止部６ｇが突設されていて、この係止部６ｇに補虫袋１５の開口部１５ａが係止されている。
【００２７】
係止部６ｇは、図４に示すように筒状ケース６ａの外周面に突設された突条や、図示しない凹溝等からなり、補虫袋１５の開口部１５ａに予め挿通された輪ゴム等の係止手段１５ｂにより開口部１５ａを係止することにより、吸引手段５より補虫袋１５内に風圧を受けても補虫袋１５が脱落しないようになっている。
補虫袋１５は、小さな害虫が通り抜けられないような目の細い網体や不織布等の通気性を有する素材により袋状に形成されていて、捕獲した害虫とともに廃棄処分できるようになっている。
【００２８】
一方下部ケース３の下部には、蛇腹状のカバー１６が取り付けられている。
このカバー１６は、補虫袋１５内に捕獲された害虫が外から見えないよう補虫袋１５の周囲を覆うもので、軟質の樹脂により下部ケース３とほぼ同径に形成されており、伸長した際補虫袋１５の下部が見えない長さに設定されている。
また補虫袋１５を交換する際は、図７に示すように収縮することにより、補虫袋１５の交換が容易に行えるようになっている。
【００２９】
次に前記構成された消臭装置の作用を説明すると、装置本体１は、消臭機能と害虫捕獲機能を有していて、消臭機能は単独で、また害虫捕獲機能と消臭機能は同時に使用できるようになっているが、消臭作用と害虫捕獲作用を分けて説明する。
害虫の発生が少ない冬季等であって消臭機能のみを使用したい場合は、消臭したい場所に装置本体１を吊り下げて使用するが、特に花粉の飛散が多い時期には、捕虫袋１５を付けることにより、花粉や粉塵等のアレルギー原因物質を捕虫袋１５により濾過することができるため、花粉症等のアレルギー対策にも大きなを発揮する。
装置本体１を消臭したい場所に設置してスイッチをオンにすると、光源１２が点灯されると同時に吸引手段５の電動モータ５ｂが回転し、ファン５ｃによる送風が開始される。
【００３０】
電動モータ５ｂによりファン５ｃが回転されることにより、吸引手段５によって光源１２周辺の空気が下部ケース３内へ吸引されるため、空気取り入れ口４より外気が上部ケース２内に吸入される。
空気取り入れ口４には下向きに傾斜する複数の消臭体１３ａが上下方向にほぼ等間隔に設けられていて、空気取り入れ口４へ吸入される空気はこれら消臭体１３ａのガイド作用により下向き方向の流れに整流されるため、吸引能力の小さい吸引手段５でも効率よく空気取り入れ口４周辺の外気を取り込むことができると共に、空気取り入れ口４内へ吸引された空気は、消臭体１３ａの整流作用により増速されながら、図４の矢印Ｂに示すように各消臭体１３ａの間を流通し、このとき空気中に含まれる臭い成分である有機有害物質Ｄが消臭体１３ａの表面に形成された光触媒層１３ｇに接触する。
【００３１】
光触媒層１３ｇは、アパタイト二酸化チタンコーティング剤により形成されていて、二酸化チタンの表面がアパタイトにより被覆されているため、有機有害物質Ｄはアパタイトにより吸着されて、光触媒層１３ｇの表面に蓄積される。
光源１２より発生される光に含まれる紫外線Ｃが、消臭体１３ａの表面に形成された光触媒層１３ｇに至近距離から照射されと光触媒層１３ｇが活性化されて、光触媒層１３ｇの表面に蓄積された有機有害物質Ｄが、図５に示すように二酸化炭素（ＣＯ２）と水（Ｈ２Ｏ）に分解されて、吸引手段５により吸引される空気中に放出されるが、光触媒層１３ｇが有機有害物質Ｄを分解するのに一定の時間を必要とする。
【００３２】
しかしアパタイトが有機有害物質Ｄを捕捉して逃がさないため、有機有害物質を光触媒層１３ｇが確実に分解することができる。
これによって悪臭の原因であるアンモニア臭、タバコ臭の原因であるアセトアルデヒド、シックハウス症候群の原因となるホルムアルデヒド、カビ臭等の有機有害物質が除去される。
また光触媒層１３ｇの下地として環状基板１３ｆの表面にコーティングされた保護層は、光触媒層１３ｇを透過した紫外線Ｃを乱反射して、再び紫外線Ｃを光触媒１３ｇ側へ戻すことにより光触媒層１３ｇがさらに活性化されるため、より高い消臭効果が得られるようになる。
【００３３】
一方吸引手段５の下方に設置されたシャッタ手段６は、今までバランサ６ｅの作用で閉鎖されていたシャッタ板６ｂにファン５ｃにより送風される空気の風圧（図６の矢印Ｂ）を受けると、回転軸６ｃを中心にほぼ９０度回動して開放されるため、吸引手段５により空気とともに吸引された花粉や粉塵等のアレルギー原因物質は、筒状ケース６ａ内を通って捕虫袋１５内へと排出されることにより、網体や不織布等により形成された捕虫袋１５によりアレルギー物質が濾過され、空気は図６の矢印Ｅに示すように捕虫袋１５を通過した後、カバー１６の下部開口より屋内へ排出されるようになる。
【００３４】
これによって消臭体１３ａに形成された光触媒層１３ｇによる二酸化チタン光触媒反応により、排ガス（ＮＯｘ、ＳＯＸ）新建材等から放出されるホルムアルデヒド等の有害物質、タバコ臭の原因となるアセドアルデヒド、ペット等の動物臭、生ゴミ等から放出されるアンモニア臭等の消臭効果と、抗ウィルス、防カビ等の抗菌作用により細菌の繁殖防止効果が得られる。
また捕虫網１５によるフィルタ効果により、空気中の花粉や粉塵等のアレルギー物質の除去と、吸引手段５が常時回転して空気を循環させることにより、空気清浄効果が得られるようになる。
【００３５】
以上は装置本体１を使用して消臭を行う場合について説明したが、次に害虫を捕獲する場合の作用を説明する。
害虫を捕獲する場合の設置場所としては、一般家庭の室内、食品加工場や飲食店、コンビニ等の食品や製品に害虫が混入しては困る場所、人に不快感を与えては困る場所等に適しており、消臭装置自体を小型に製作することができるため、特に設置スペースに制限のあるに一般の家庭や飲食店、コンビニ等に最適であるが、設置場所に制限はなく、屋外やビニールハウス等の施設に設置しても勿論よい。
装置本体１を屋内に設置するに当って、天井に設置された照明器具に集まる害虫が効率よく捕獲できるように、装置本体１の上部に設けた光源１２が天井付近となるように、上部ケース２に設けた吊り具９により装置本体１を天井等から吊り下げる。
【００３６】
装置本体１の取り付けが完了したら、下部ケース３の下部に取り付けた蛇腹状のカバー１６を図７に示す位置まで収縮して、予め用意した捕虫袋１５の開口部１５ａを筒状ケース６ａの下端側外周に嵌装し、開口部１５ａの外周をゴム輪等の係止手段１５ｂで筒状ケース６ａの外周面に突設された係止部６ｇに係止することにより、吸引手段５より風圧が捕虫袋１５の内側から下方向へ作用しても捕虫袋１５がずれ落ちるのを防止することができる。
捕虫袋１５の取り付けが完了したら、カバー１６を元の位置まで伸張した後、電源コード１０の途中に設けた電源スイッチをオンにすると、光源１２が点灯されると同時に吸引手段５の電動モータ５ｂが回転し、ファン５ｃによる送風が開始される。
【００３７】
電動モータ５ｂによりファン５ｃが回転されることにより、吸引手段５によって光源１２周辺の空気が下部ケース３内へ吸引されるため、天井付近の空気が空気取り入れ口４より吸入される。
空気取り入れ口４には下向きに傾斜する複数の消臭体１３ａが上下方向にほぼ等間隔に設けられていて、空気取り入れ口４へ吸入される空気は、これら消臭体１３ａのガイド作用により下向き方向の流れに整流されるため、吸引能力の小さい吸引手段５でも効率よく空気取り入れ口４周辺の外気を取り込むことができると共に、空気取り入れ口４内へ吸引された空気は、ガイド板１３ａの整流作用により増速されて吸引手段５へと吸入されるため、光源１２周辺の空気をほぼ均一に吸引することが可能になる。
【００３８】
また光源１２には害虫が好む波長の誘引光を発生する蛍光灯のような電球を使用していることから、屋内に設置された照明器具に誘引されて屋内へ侵入した害虫も光源１２へと誘引されて光源１２付近に達すると、空気取り入れ口４に吸入された空気とともに吸引手段５に吸引される。
【００３９】
一方吸引手段５の下方に設置されたシャッタ手段６は、今までバランサ６ｅの作用で閉鎖されていたシャッタ板６ｂにファン５ｃにより送風される空気の風圧（図６の矢印Ｂ）を受けると、回転軸６ｃを中心にほぼ９０度回動して開放されるため、吸引手段５により空気とともに吸引された害虫は、筒状ケース６ａ内を通って捕虫袋１５内へと排出されることにより、網体や不織布等により形成された捕虫袋１５に害虫のみが捕獲され、空気は図６の矢印Ｅに示すように捕虫袋１５を通過した後、カバー１６の下部開口より屋内へ排出されるため、光源１２に誘引された害虫を効率よく捕虫袋１５内に捕獲することができる。
【００４０】
また空気取り入れ口４内へ吸引された空気は、消臭体１３ａの整流作用により増速されながら、図４の矢印Ｂに示すように各消臭体１３ａの間を流通し、このとき空気中に含まれる臭い成分である有機有害物質が消臭体１３ａの表面に形成された光触媒層１３ｇに接触した際に、前記消臭機能により二酸化炭素（ＣＯ２）と水（Ｈ２Ｏ）に分解されて、吸引手段５により吸引される空気中に放出されるため、害虫捕獲時においても消臭効果が得られるようになる。
【００４１】
また長時間運転している間に捕獲袋１５内に害虫がある程度溜まったら、捕虫袋１５に捕獲された害虫を捕虫袋１５ごと廃棄処理するが、廃棄処理に当って、まず電源スイッチにより光源１２及び吸引手段５をオフにすると、吸引手段５による送風が停止されて、今まで風圧により開放位置にあったシャッタ板６ｂがバランサ６ｅの作用で水平位置へ回動され、筒状ケース６ａの上面開口がシャッタ板６ｂにより閉鎖される。
これによって捕虫袋１５に捕獲された害虫の一部が生存していても、オフによって吸引を停止した吸引手段５側へ害虫が逃げ出すのをシャッタ板６ｂが阻止するため、捕虫袋１５内に捕獲した害虫うち生存している害虫が捕虫袋１５より逃げ出すのを確実に防止することができる。
【００４２】
光源１２が消灯し、吸引手段５が完全に停止したら、カバー１６を図７に示す位置まで収縮させて捕虫袋１５を露出させた状態で、捕虫袋１５の開口部１５ａを手で絞りながら筒状ケース６ａの下部より捕虫袋１５を取り外し、係止手段１５ｂにより捕虫袋１５の開口部１５ａを閉じた状態で廃棄することにより、捕獲した害虫を逃がすことなく捕虫袋１５ごと廃棄処理することができる。
また新らしい捕虫袋１５を筒状ケース６ａの下部に取り付けたら、カバー１６を図１に示す位置まで伸張して再び消臭装置の運転を開始することにより、引き続き害虫を捕獲することができるようになる。
【００４３】
なお前記実施の形態では、環状基板１３ｆの表面のみに光触媒層１３ｇを形成した場合について説明したが、環状基板１３ｆの裏面側にも光触媒層１３ｇを形成してもよい。
また光触媒層１３ｇを、アパタイト二酸化チタンコーティング剤を環状基板１３ｆにコーティングすることにより形成したが、害虫が好む波長、例えば３００〜４００ｎｍに光波長成分のピークを持つ紫外線を照射することにより活性化する光触媒であれば、特にこれに限定されるものではない。
さらにカバー１６を蛇腹状に形成したが、下部ケース３の外周面に沿って上下摺動自在な筒状のカバーを設けても同様な効果が得られると共に、消臭装置としてのみ使用する場合は、カバー１６を省略してもよい。
また電源コード１０の途中に電源スイッチを設けた例について説明したが、装置本体１の一部、例えば下部ケース３に電源スイッチを設けるようにしても勿論よい。
【図面の簡単な説明】
【００４４】
【図１】本発明の実施の形態になる消臭装置の正面図である。
【図２】図１のＡ−Ａ線に沿う断面図である。
【図３】本発明の実施の形態になる消臭装置の吸引手段付近の一部切欠斜視図である。
【図４】本発明の実施の形態になる消臭装置の主要部を構成する消臭手段の拡大断面図である。
【図５】本発明の実施の形態になる消臭装置の消臭時の作用説明図である。
【図６】本発明の実施の形態になる消臭装置の運転時の作用説明図である。
【図７】本発明の実施の形態になる消臭装置の捕虫網交換時の作用説明図である。
【符号の説明】
【００４５】
１    装置本体
２    上部ケース
３    下部ケース
４    空気取り入れ口
５    吸引手段
６    シャッタ手段
６ａ    筒状ケース
１２    光源
１３    消臭手段
１３ａ    消臭体
１３ｅ    円孔
１３ｆ    環状基板
１３ｇ    光触媒層
１５    捕虫網
Ｃ    紫外線
Ｄ    有機有害物質
【図１】
2010022754.tif 000003
【図２】
2010022754.tif 000004
【図３】
2010022754.tif 000005
【図４】
2010022754.tif 000006
【図５】
2010022754.tif 000007
【図６】
2010022754.tif 000008
【図７】
2010022754.tif 000009